(57)【要約】【課題】印字される商取引情報を概略的な情報に制限してプライバシーの保護を図るとともに、詳細な商取引情報も確認することが可能なレシートを発行する。【解決手段】商取引に関する種々の情報からレシート２上に文字化する公開情報と文字化しない非公開情報とを生成する。公開情報については文字で、非公開情報については二次元コード３でレシート２に印字させる。【選択図】      図８
2006243822.tif 000002
【特許請求の範囲】
【請求項１】
商取引で売買される商品の販売データを処理するとともに、当該商取引に関する種々の情報がプリンタによって印字されたレシートを発行する商品販売データ処理装置において、
前記商取引に関する種々の情報から前記レシート上に文字化する公開情報と文字化しない非公開情報とを生成する情報生成手段と、
前記公開情報については文字で、前記非公開情報については二次元コードで前記レシートに印字させる印字制御手段とを具備したことを特徴とする商品販売データ処理装置。
【請求項２】
前記非公開情報を暗号化する暗号化手段をさらに具備し、
前記印字制御手段は、前記暗号化手段により暗号化されたデータを二次元コードで前記レシートに印字させることを特徴とする請求項１記載の商品販売データ処理装置。
【請求項３】
前記二次元コードは、所定のウェブサーバへアクセスするためのネットワークアドレスを含むことを特徴とする請求項１または２記載の商品販売データ処理装置。
【請求項４】
前記二次元コードは、携帯電話のスキャナ機能によって読取り可能なコード体系であることを特徴とする請求項３記載の商品販売データ処理装置。
【請求項５】
請求項４記載の商品販売データ処理装置と、
前記二次元コードに含まれるネットワークアドレスによって携帯電話からアクセス可能なウェブサーバとからなり、
前記ウェブサーバは、予めユーザ登録されたユーザ識別データに対応して電子メールアドレスを記憶するユーザファイル記憶部と、アクセスのあったユーザ識別データが前記ユーザファイル記憶部に記憶されているか検索するユーザ検索手段と、このユーザ検索手段によりアクセスのあったユーザ識別データが前記ユーザファイル記憶部に記憶されていることが検索されると、その携帯電話で読取られた二次元コードを解析して非公開情報を取得し、この非公開情報を含む電子メールを作成するメール作成手段と、このメール作成手段により作成された電子メールを当該ユーザ識別データに対応して前記ユーザファイル記憶部に記憶されている電子メールアドレス宛に送信するメール送信手段とを具備したことを特徴とするレシート管理システム。
【請求項６】
請求項４記載の商品販売データ処理装置と、
前記二次元コードに含まれるネットワークアドレスによって携帯電話からアクセス可能なウェブサーバとからなり、
前記ウェブサーバは、予めユーザ登録されたユーザ識別データを記憶するユーザファイル記憶部と、アクセスのあったユーザ識別データが前記ユーザファイル記憶部に記憶されているか検索するユーザ検索手段と、このユーザ検索手段によりアクセスのあったユーザ識別データが前記ユーザファイル記憶部に記憶されていることが検索されると、その携帯電話で読取られた二次元コードを解析して非公開情報を取得し、この非公開情報を含む電子メールを作成するメール作成手段と、前記携帯電話で入力された電子メールアドレスを取得するアドレス取得手段と、前記メール作成手段により作成された電子メールを前記アドレス取得手段により取得した電子メールアドレス宛に送信するメール送信手段とを具備したことを特徴とするレシート管理システム。
【請求項７】
前記ユーザ識別データは、携帯電話の固有情報であることを特徴とする請求項５または６記載のレシート管理システム。
【発明の詳細な説明】
【技術分野】
【０００１】
本発明は、商取引に関する種々の情報が二次元コードで印字されたレシートを発行する商品販売データ処理装置及びその装置を利用したレシート管理システムに関する。
【背景技術】
【０００２】
従来、商品入力情報に基づいて商品登録をするとともに登録された商品名やその単価等の各種商取引情報がプリンタで印字されたレシートを発行する商品販売データ処理装置において、前記商取引情報を二次元コードでレシートに印字する二次元コード印字手段を設けたものはすでに知られている。この二次元コード印字手段を設けることによって、取引情報が二次元コードで印字されたレシートが発行されるので、このレシートに印字されている二次元コードを家庭に用意したコンピュータに読込ませることによってレシートの内容を入力する手間を大幅に削減することができ、容易に家計簿を作成できる等の効果を奏する（例えば、特許文献１参照）。
【特許文献１】特開平７−００６２７０号
【発明の開示】
【発明が解決しようとする課題】
【０００３】
ところでレシートには、一般に、商取引で売買された商品の品名及び価格や合計金額，預り金額，釣銭額等が印字される。また、会員との商取引の際にはその買上金額等に応じてポイントを付与するポイントサービス制度を導入している店舗では、今回の商取引で付与されるポイントが印字される。また、前回までの累計ポイントや会員の氏名等が印字される場合もある。したがって、買物客は、レシートに印字された内容から自身が購入した商品の品名，価格や合計金額，釣銭額等を容易に知ることができる。また、今回の買物に際して何ポイントが付与されたのか等の情報も容易に知ることができる。
【０００４】
しかしながら、買物客の全てがレシートを必要としてはおらず、レシートを受け取らなかったり、受け取ったその場で破棄してしまったりする客もいる。このような客にとっては、レシートに金額だけでなく商品名や累計ポイント，氏名等の個人的な情報が印字されてしまっているのはプライバシー保護の観点から問題であるとされていた。
【０００５】
本発明はこのような事情に基づいてなされたもので、その目的とするところは、レシートに印字される商取引情報を概略的な情報に制限することでプライバシーの保護を図る商品販売データ処理装置及びこの装置で印字されたレシートからでも特定のユーザであれば詳細な商取引情報を確認することができるレシート管理システムを提供しようとするものである。
【課題を解決するための手段】
【０００６】
本発明の商品販売データ処理装置は、商取引で売買される商品の販売データを処理するとともに、当該商取引に関する種々の情報がプリンタによって印字されたレシートを発行するものにおいて、商取引に関する種々の情報からレシート上に文字化する公開情報と文字化しない非公開情報とを生成する情報生成手段と、公開情報については文字で、非公開情報については二次元コードでレシートに印字させる印字制御手段とを備えたものである。
【０００７】
かかる構成の商品販売データ処理装置から発行されるレシートには、商取引に関する種々の情報のうち公開情報と定められた情報については文字で印字されるが、非公開情報と定められた情報については二次元コードで印字される。したがって、レシートを見ただけでは公開情報の内容しか知り得ない。一方、非公開情報については二次元コードで印字されているので、レシートを受け取った買物客は二次元コードリーダを用いることでその内容を確認することができる。
【０００８】
本発明のレシート管理システムは、前記情報生成手段と前記印字制御手段とを備え、印字制御手段によってレシートに印字される二次元コードが、所定のウェブサーバへアクセスするためのネットワークアドレスを含み、かつ携帯電話のスキャナ機能によって読取り可能なコード体系のものである商品販売データ処理装置と、上記二次元コードに含まれるネットワークアドレスによって携帯電話からアクセス可能なウェブサーバとからなる。ウェブサーバは、予めユーザ登録されたユーザ識別データ、例えば携帯電話の固有情報に対応して電子メールアドレスを記憶してなるユーザファイル記憶部を設ける。そして、アクセスのあったユーザ識別データがユーザファイル記憶部に記憶されているか検索し、記憶されている場合には、その携帯電話で読取られた二次元コードを解析して非公開情報を取得し、この非公開情報を含む電子メールを作成して、当該ユーザ識別データに対応してユーザファイル記憶部に記憶されている電子メールアドレス宛に送信するようにしたものである。
【０００９】
かかる構成のレシート管理システムであれば、ウェブサーバにユーザ識別データがユーザ登録されている携帯電話所有者は、レシートに印字されている二次元コードを携帯電話のスキャナ機能で読込む。そうすると、この二次元コードのデータがウェブサーバに送信され、ウェブサーバで解析されて非公開情報が得られる。そして、この非公開情報が電子メールとして、当該ユーザ識別データに対応してユーザファイル記憶部に記憶されている電子メールアドレス宛に送信される。したがって、例えば電子メールアドレスを自宅のコンピュータが有するアドレスに設定することによって、ユーザ登録をしている携帯電話所有者（買物客）はレシートに文字では印字されなかった非公開情報の内容をコンピュータの画面で容易に確認することができる。
【発明の効果】
【００１０】
本発明によれば、レシートに印字される商取引情報を概略的な情報に制限することができ、プライバシーの保護を図り得る商品販売データ処理装置を提供することができる。
【００１１】
また、上記商品販売データ処理装置で印字されたレシートからでも特定のユーザであれば詳細な商取引情報までも容易に確認することができるレシート管理システムを提供することができる。
【発明を実施するための最良の形態】
【００１２】
以下、本発明を実施するための最良の形態について、図面を用いて説明する。  
なお、この実施の形態は、会員との商取引の際にはその買上金額等に応じてポイントを付与するポイントサービス制度を導入している店舗で使用されるＰＯＳ端末に、本発明の商品販売データ処理装置としての機能を適用した場合である。
【００１３】
図１は本実施の形態におけるレシート管理システムの概略構成を示す模式図である。このレシート管理システムは、レシート２を印字発行するＰＯＳ端末１と、レシート２に印字されている二次元コード３を読取るためのスキャナ機能を有した携帯電話５と、電子メールの受信機能を有したパソコン，携帯電話等のユーザ端末７と、インターネット上に置かれ、上記携帯電話５とユーザ端末７との間のデータ中継を行うレシート管理ウェブサーバ４とから構成されている。レシート管理ウェブサーバ４にはユーザファイル６が設けられている。ユーザファイル６には、本システムを利用するためにユーザ登録を行った各ユーザに関するデータが蓄積保存されている。
【００１４】
ＰＯＳ端末１は、商取引で売買される商品の販売データを登録処理する商品登録手段を有する。また、当該商取引に関する種々の情報がプリンタによって印字されたレシート２を発行するレシート発行手段を有する。レシート２には、縦，横二方向に情報をもつマトリックス方式で数字，英字，漢字，カナ，ひらがな等のデータを表す二次元コード３が印字されている。この二次元コード３には、インターネット上のレシート管理ウェブサーバ４へアクセスするためのネットワークアドレス（ＵＲＬ：Uniform Resource Locator）が含まれている。また、市販されている携帯電話５のスキャナ機能でスキャニングすることによって読取り可能なコード体系に基づくものである。
【００１５】
図２はＰＯＳ端末１の要部構成を示すブロック図である。このＰＯＳ端末１は、制御部本体としてＣＰＵ（Central Processing Unit）１１を搭載している。そしてこのＣＰＵ１１に、アドレスバス，データバスなどのバスライン１２を介して、読取り専用メモリであるＲＯＭ（Read Only Memory）１３、書換え可能な不揮発性メモリであるＥＥＰＲＯＭ（Electrically Erasable Programmable ROM）１４、読み書き自在な揮発性メモリであるＲＡＭ（Random Access Memory）１５、現在の日時を計時する時計部１６，ドロワ１７に駆動信号を出力するＩ／Ｏポート１８の他、通信インターフェイス１９，キーボードコントローラ２０，第１の表示コントローラ２１，第２の表示コントローラ２２，プリンタコントローラ２３，カードリーダコントローラ２４，スキャナインターフェイス２５等が接続されている。
【００１６】
キーボードコントローラ２０は、キーボードの操作キーに対応したキー信号を取り込むもので、このキーボードコントローラ２０には、置数キー，ＰＬＵキー，小計キー，預／現計キー等が配設されたＰＯＳ端末専用のキーボード２６が接続されている。
【００１７】
第１及び第２の表示コントローラ２１，２２は、ディスプレイの駆動を制御して表示データに対応する画面を表示させるもので、第１の表示コントローラ２１にはオペレータに対する画面を表示するためのオペレータ用ディスプレイ２７が接続されており、第２の表示コントローラ２２には客に対する画面を表示するための客用ディスプレイ２８が接続されている。
【００１８】
プリンタコントローラ２３は、プリンタの駆動を制御して印字データを記録紙に印字させるもので、このプリンタコントローラ２３には、商取引毎にその商取引に関する種々の情報をレシート用紙に印字してレシートを発行するためのプリンタ２９が接続されている。
【００１９】
カードリーダコントローラ２４は、カードリーダで読み取られたカードデータを取り込むもので、このカードリーダコントローラ２４には、会員カードに記憶された会員コード等のカードデータを読取ることが可能なカードリーダ３０が接続されている。
【００２０】
スキャナインターフェイス２５は、スキャナで読み取られたデータを取り込むもので、このスキャナインターフェイス２５には、商品に付されたバーコードを読取ることが可能なスキャナ３１が接続されている。
【００２１】
通信インターフェイス１９は、通信回線を介して接続される外部機器との間で行うデータ通信を制御するもので、この通信インターフェイス１９には、商品マスタファイル８１，分類マスタファイル８２及び会員マスタファイル８３をＰＯＳ端末１からアクセス自在に記憶管理しているストアサーバ８が接続されている。
【００２２】
商品マスタファイル８１には、図２に示すように、商品コード，分類コード，商品名，単価，売上点数，売上金額等の項目情報からなる商品情報レコードが、店で販売されている商品数分、蓄積保存されている。商品コードは、各商品に対して設定された商品固有の識別コードであって、各商品には商品コードがバーコードの形態で記録されている。分類コードは、対応する商品コードによって特定される商品が属する商品分類を識別するためのコードである。商品名及び単価は、対応する商品コードによって特定される商品の品名及び単位数量あたりの価格である。
【００２３】
分類マスタファイル８２には、図４に示すように、分類コード，分類名，売上点数，売上金額等の項目情報からなる分類情報レコードが、商品分類の設定数分、蓄積保存されている。分類名は、対応する分類コードによって特定される商品分類の名称である。
【００２４】
会員マスタファイル８３には、図５に示すように、会員コード，会員名，ランク，ポイント，売上点数，売上金額等の項目情報からなる会員情報レコードが、会員の人数分、蓄積保存されている。会員コードは、各会員に対して設定された会員固有の識別コードであって、当該会員が有する会員カードに記録されている。会員名は、対応する会員コードによって特定される会員の氏名である。ランクは対応する会員コードによって特定される会員の売上実績に応じて設定されるランクである。ポイントは、対応する会員コードによって特定される会員が獲得したポイントの累計値である。
【００２５】
ＰＯＳ端末１のＲＯＭ１３には、テキストデータを暗号化するための暗号化鍵１３１が記憶されている。
【００２６】
また、ＥＥＰＲＯＭ１４には、図６に示すように、当該ＰＯＳ端末１が稼動している商店の店名データと、前記レシート管理ウェブサーバ４にアクセスするためのＵＲＬとが記憶されている。
【００２７】
また、ＲＡＭ１５には、図７に示すように、取引明細バッファ１５１、レシート印字バッファ１５２、会員情報バッファ１５３、登録中フラグＦ１のフラグメモリ１５４及び会員取引フラグＦ２のフラグメモリ１５５等が形成されている。
【００２８】
しかしてＣＰＵ１１は、図９及び図１０の流れ図に示す手順で買物客との商取引を処理するものとなっている。すなわちＣＰＵ１１は、ＳＴ（ステップ）１としてフラグメモリ１５５の会員取引フラグＦ２を調べる。初期状態では、会員取引フラグＦ２はリセットされているので、ＣＰＵ１１は、ＳＴ２として会員コードの入力有無を判断する。そして、会員コードの入力無しを判定した場合には、ＣＰＵ１１は、ＳＴ３として商品コードの入力有無を判断する。そして、商品コードの入力無しを判定した場合には、ＳＴ１に戻る。
【００２９】
ＳＴ２にてカードリーダ３０による会員カードのデータ読取り、あるいはキーボード２６のキー操作入力により会員コードの入力有りを検知した場合には、ＣＰＵ１１は、ＳＴ４としてその入力会員コードでストアサーバ８に会員情報の問合せを行い、当該会員コードに対応して設定されている会員名，ランク，ポイント等の会員情報を会員マスタファイル８３から読み出す。そして、この会員情報を会員情報バッファ１５３に格納する。しかる後、ＳＴ５としてフラグメモリ１５５の会員取引フラグＦ２を“１”にセットしたならば、ＳＴ１の処理に戻る。この場合、会員取引フラグＦ２はセットされているので、ＳＴ３の商品コード入力有無判断処理に進む。
【００３０】
ＳＴ３にてスキャナ３１による商品バーコードのスキャニングあるいはキーボード２６のキー操作入力により商品コードの入力有りを検知した場合には、ＣＰＵ１１は、ＳＴ６としてフラグメモリ１５４の登録中フラグＦ１を調べる。そして、登録中フラグＦ１が“０”にリセットされていた場合には、１商取引における１点目の商品登録が行われたので、ＣＰＵ１１は、ＳＴ７として取引明細バッファ１５１及びレシート印字バッファ１５２をクリアする。また、ＳＴ８として登録中フラグＦ１を“１”にセットする。
【００３１】
次に、ＣＰＵ１１は、ＳＴ９としてその入力商品コードでストアサーバ８に商品情報の問合せを行い、当該商品コードに対応して設定されている分類コード，商品名，単価等の商品情報を商品マスタファイル８１から読み出す。そして、この商品情報を取引明細バッファ１５１に格納する。また、ＣＰＵ１１は、ＳＴ１０として当該商品コードに対応して設定されていた分類コードでストアサーバ８に分類情報の問合せを行い、当該分類コードに対応して設定されている分類名等の分類情報を分類マスタファイル８２から読み出す。そして、この分類情報を取引明細バッファ１５１に格納する。
【００３２】
次に、ＣＰＵ１１は、ＳＴ１１として当該商品情報中の単価と販売点数（商品コードの入力直前に乗数がキー入力されている場合にはその乗数、乗数がキー入力されていない場合には１）を乗算して販売金額を算出する。そして、この販売点数及び販売金額のテキストデータも取引明細バッファ１５１に格納する。しかる後、ＳＴ１２としてこの販売点数及び販売金額の各データを商品名及び単価の各データとともに取引明細バッファ１５１から読み出し、オペレータ用ディスプレイ２７及び客用ディスプレイ２８に表示させる。またＣＰＵ１１は、ＳＴ１３として分類名称と販売金額の各データを取引明細バッファ１５１から読み出し、レシート印字バッファ１５２に格納する。
【００３３】
次に、ＣＰＵ１１は、ＳＴ１４として小計キーの入力有無を判断する。そして、小計キーの入力無しを判定したならば、ＳＴ１に戻る。
【００３４】
そして、ＳＴ３にて次の商品コードが入力されたことを検知した場合には、登録中フラグＦ１はセットされているので、ＳＴ７，８の処理を省略し、ＳＴ９〜ＳＴ１３の処理を再度実行する。かくしてＣＰＵ１１は、小計キーが操作入力されるまで、商品コードが入力される毎にＳＴ９〜ＳＴ１３の各処理を繰り返し実行する。
【００３５】
そして、小計キーが操作入力されたことを検知した場合には、ＣＰＵ１１は、ＳＴ１５として当該商取引の小計金額を算出し、オペレータ用ディスプレイ２７及び客用ディスプレイ２８に表示させる。また、ＳＴ１６として上記小計金額のデータを取引明細バッファ１５１に格納する。
【００３６】
次に、ＣＰＵ１１は、ＳＴ１７として現計キーが操作入力されるのを待機する。そして、現計キーが操作入力されたことを検知したならば、商取引の締めが宣言されたので、ＣＰＵ１１は、ＳＴ１８として当該商取引の合計金額から預り金額を減算して釣銭額を算出する。そして、この釣銭額のデータをオペレータ用ディスプレイ２７及び客用ディスプレイ２８に表示させる。なお、合計金額は小計金額と等しく、預り金額は現計キーのキー操作前に置数入力された金額である。しかる後、ＣＰＵ１１は、ＳＴ１９として上記合計金額，預り金額及び釣銭額の各データを取引明細バッファ１５１に格納する。また、ＳＴ２０として取引明細バッファ１５１から合計金額のデータを読み出し、レシート印字バッファ１５２に格納する。
【００３７】
次に、ＣＰＵ１１は、ＳＴ２１としてフラグメモリ１５５の会員取引フラグＦ２を調べる。ここで、会員取引フラグＦ２が“１”にセットされていた場合には、ポイント会員として契約している買物客との商取引なので、ＣＰＵ１１は、ＳＴ２２として当該商取引で登録された販売商品のデータや会員情報のランク等に基づいて買上ポイントを算出する。そして、この買上ポイントのデータを取引明細バッファ１５１に格納する。
【００３８】
次に、ＣＰＵ１１は、ＳＴ２３として取引明細バッファ１５１に記憶されているデータと会員情報バッファ１５３に記憶されているデータとを、ＲＯＭ１３に記憶している暗号化鍵１３１で暗号化する。しかる後、ＳＴ２４としてＥＥＰＲＯＭ１４で記憶しているＵＲＬ及び店名の各データと暗号化されたデータとから二次元コードを作成する。
【００３９】
またＣＰＵ１１は、ＳＴ２５としてレシート印字バッファ１５２に記憶されているデータを文字化し、プリンタ２９に出力してレシート印字を行わせる。続いて、ＳＴ２６として上記二次元コードをプリンタ２９に出力してレシート印字を行わせ、レシートを発行させる。
【００４０】
その後、ＣＰＵ１１は、ＳＴ２７としてＩ／Ｏポート１８から駆動信号を出力してドロワ１７を開放させる。また、ＳＴ２８として取引明細バッファ１５１のデータと会員情報バッファ１５３のデータで売上トランザクションデータを生成する。そして、ＳＴ２９としてこの売上トランザクションデータをストアサーバ８に送信する。その後、ＣＰＵ１１は、ＳＴ３０として登録中フラグＦ１及び会員取引フラグＦ２をいずれも“０”にリセットして、当該商取引に対する処理を終了する。
【００４１】
一方、ＳＴ２１にて会員取引フラグＦ２が“０”にリセットされていた場合には、ポイント会員として契約していない買物客との商取引なので、ＣＰＵ１１は、ＳＴ３１として取引明細バッファ１５１に記憶されているデータを、ＲＯＭ１３に記憶している暗号化鍵１３１で暗号化する。しかる後、ＳＴ３２としてＥＥＰＲＯＭ１４で記憶しているＵＲＬ及び店名の各データと暗号化されたデータとから二次元コードを作成する。
【００４２】
またＣＰＵ１１は、ＳＴ３３としてレシート印字バッファ１５２に記憶されているデータを文字化し、プリンタ２９に出力してレシート印字を行わせる。続いて、ＳＴ３４として上記二次元コードをプリンタ２９に出力してレシート印字を行わせ、レシートを発行させる。
【００４３】
その後、ＣＰＵ１１は、ＳＴ３５としてＩ／Ｏポート１８から駆動信号を出力してドロワ１７を開放させる。また、ＳＴ３６として取引明細バッファ１５１のデータで売上トランザクションデータを生成する。そして、ＳＴ３７としてこの売上トランザクションデータをストアサーバ８に送信する。その後、ＣＰＵ１１は、ＳＴ３８として登録中フラグＦ１を“０”にリセットして、当該商取引に対する処理を終了する。
【００４４】
ここに、本実施の形態のＰＯＳ端末１は、商取引に関する種々の情報からレシート上に文字化する公開情報、すなわち登録商品の分類名称，販売金額，合計金額の各データを生成するとともに、文字化しない非公開情報、すなわち登録商品の分類コード，商品名，分類名，単価，販売点数，販売金額，小計金額，合計金額，預り金額，釣銭額，買上ポイント，会員名，ランク，累計ポイントの各データを生成する情報生成手段（ＳＴ４，９，１０，１１，１３，１６，１９，２０，２２）を有している。また、１商取引分の上記公開情報についてはレシート印字バッファ１５２で記憶し、非公開情報については取引明細バッファ１５１と会員情報バッファ１５３とで記憶するようにしている。そして、レシート印字バッファ１５２に記憶された公開情報については文字で、取引明細バッファ１５１と会員情報バッファ１５３とで記憶された非公開情報については二次元コードでレシートに印字させる印字制御手段（ＳＴ２４，２５，２６，３２，３３，３４）を有している。
【００４５】
また、本実施の形態のＰＯＳ端末１は、取引明細バッファ１５１と会員情報バッファ１５３とで記憶された非公開情報を所定の暗号化鍵で暗号化する暗号化手段（ＳＴ２３，３１）を有している。そして印字制御手段（ＳＴ２４，２５，２６，３２，３３，３４）は、この暗号化手段によって暗号化されたデータを、店名データと、レシート管理ウェブサーバ４のＵＲＬとともに二次元コード化して、レシートに印字するようにしている。
【００４６】
次に、レシート管理ウェブサーバ４について説明する。  
図１１はレシート管理ウェブサーバ４の要部構成を示すブロック図である。レシート管理ウェブサーバ４は、ＣＰＵ４１，ＲＯＭ４２，ＲＡＭ４３の他、ユーザファイル６の記憶部であるＨＤＤ（Hard Disk Drive）装置４４と、インターネットを利用したデータ通信を司る通信インターフェイス４５とを備えている。ＣＰＵ４１とＲＯＭ４２，ＲＡＭ４３，ＨＤＤ装置４４及び通信インターフェイス４５とは、バスライン４６で接続されている。
【００４７】
ＲＯＭ４２には、ＰＯＳ端末１が有する暗号化鍵１３１に対応した復号化鍵４２１が記憶されている。
【００４８】
ユーザファイル６には、図１２に示すように、ユーザ別に携帯電話番号情報，パスワード，会員コード，転送先メールアドレス等のユーザ情報が登録されている。携帯電話固有情報は、携帯電話５に予め設定されている固有のＩＤ情報であって、ユーザ登録情報として機能する。ＩＤ情報の代わりに携帯電話番号，携帯メールアドレス等を利用してもよい。会員コードは、本システムを利用する店舗においてポイント会員として契約をした際に割り当てられたポイント会員識別用のコードである。転送先メールアドレスは、本ユーザがレシート情報受信用として申請したユーザ端末７のメールアドレスである。
【００４９】
図１３はレシート管理ウェブサーバ４のＣＰＵ４１が実行する主要な処理手順を示す流れ図である。また、図１４は携帯電話５の画面変遷図である。以下、これらの図を用いて、レシート２に印字されている二次元コード３の内容を買物客が確認する仕組みについて説明する。
【００５０】
先ず、レシート２を受け取った買物客は、携帯電話５のスキャナ機能を用いてレシートに印字されている二次元コードを読取り操作する（図１４の状態Ａ）。二次元コードが読取られると、その二次元コードに含まれているＵＲＬが画面に表示されるので（図１４の状態Ｂ）、買物客は接続ボタンを入力操作する。これにより、携帯電話５からインターネット上の上記ＵＲＬで特定されるレシート管理ウェブサーバ４に接続要求指令が伝送される。この接続要求指令には、当該携帯電話の固有情報が含まれている。
【００５１】
レシート管理ウェブサーバ４のＣＰＵ４１は、携帯電話５からの接続要求指令を待機している（図１３のＳＴ４１）。そして、接続要求指令を受信すると、その指令に含まれる携帯電話５の固有情報を取得し（図１３のＳＴ４２）、当該固有情報がユーザファイル６に登録されているか否かを判断する（図１３のＳＴ４３）。ここで、登録されている場合には、ＣＰＵ４１は、当該携帯電話固有情報に対応してユーザファイル６に登録されているパスワード，会員コード，転送メールアドレスなどのユーザ登録情報を読み出す（図１３のＳＴ４４）。また、接続要求のあった携帯電話５に対し、インターネットを経由して、パスワード入力画面を送信する（図１３のＳＴ４５）。
【００５２】
これにより、携帯電話５にパスワード入力画面がダウンロードされて、画面に表示される（図１４の状態Ｃ）。そこで買物客は、予め登録されているパスワードを入力し、ＯＫボタンを入力操作する。
【００５３】
レシート管理ウェブサーバ４のＣＰＵ４１は、携帯電話５にてパスワードが入力されたことを検知すると（図１３のＳＴ４６）、そのパスワードがユーザファイル６から読み出したユーザ登録情報中のパスワードと一致するか否かを判定する（図１３のＳＴ４７）。そして一致する場合には、パスワードによる認証が承認されたので、ＣＰＵ４１は、当該携帯電話５に対し、インターネットを経由して、レシートデータ要求画面を送信する（図１３のＳＴ４８）。
【００５４】
これにより、携帯電話５にレシートデータ要求画面がダウンロードされて、画面に表示される（図１４の状態Ｄ）。そこで買物客は、送信ボタンを入力操作する。そうすると、携帯電話からレシート管理ウェブサーバ４に二次元コード３に含まれているＵＲＬ以外のレシートデータが伝送される（図１４の状態Ｅ）。
【００５５】
レシート管理ウェブサーバ４のＣＰＵ４１は、携帯電話５から二次元コード３のレシートデータを受信すると（図１３のＳＴ４９）、ＲＯＭ４２で記憶している復号化鍵４２１を用いてこのレシートデータを復号化する（図１３のＳＴ５０）。
【００５６】
次に、ＣＰＵ４１は、複合化されたレシートデータに会員コード，会員名等の会員情報が含まれているか否かを判断する（図１３のＳＴ５１）。そして会員情報が含まれている場合には、ポイント会員として登録されている買物客との取引で発行されたレシート２のデータなので、ＣＰＵ４１は、この会員情報中の会員コードがユーザファイル６から読み出されたユーザ登録情報中の会員コードと一致するか否かを判定する（図１３のＳＴ５２）。そして一致する場合には、ポイント会員である買物客が、自身がユーザ登録をしている携帯電話５でレシート２の二次元コード３を読取ったので、ＣＰＵ４１は、当該携帯電話５に対し、インターネットを経由して、送信完了画面を送信する（図１３のＳＴ５３）。
【００５７】
これにより、携帯電話５に送信完了画面がダウンロードされて表示される（図１４の状態Ｆ）。そこで、買物客は終了ボタンを入力操作する。
【００５８】
一方、レシート管理ウェブサーバ４のＣＰＵ４１は、送信要求画面を送信後、復号化されたレシートデータがテキストデータで記述された電子メールを作成する（図１３のＳＴ５４）。そしてこの電子メールを、ユーザファイル６から読み出されたユーザ登録情報中の転送先メールアドレスを宛先として送信する（図１３のＳＴ５５）。以上でＣＰＵ４１は、当該携帯電話５の接続要求に対する処理を終了する。
【００５９】
なお、復号化されたレシートデータに会員情報が含まれていない場合には（図１３のＳＴ５２）、当該携帯電話５に対して無条件で送信完了画面を送信する（図１３のＳＴ５３）。また、復号化されたレシートデータがテキストデータで記述された電子メールを作成して（図１３のＳＴ５４）、この電子メールを、ユーザファイル６から読み出されたユーザ登録情報中の転送先メールアドレスを宛先として送信する（図１３のＳＴ５５）。
【００６０】
また、携帯電話５の固有情報がユーザファイル６に登録されていない場合（図１３のＳＴ４３）、及び携帯電話５で入力されたパスワードがユーザファイル６から読み出されたユーザ登録情報中のパスワードと一致しない場合（図１３のＳＴ４７）、並びに会員コードが一致しない場合には（（図１３のＳＴ５２）、ＣＰＵ４１は、当該携帯電話５に対し、インターネットを経由して、エラー画面を送信して（図１３のＳＴ５６）、当該携帯電話５の接続要求に対する処理を終了する。
【００６１】
ここに、レシート管理ウェブサーバ４のＣＰＵ４１は、アクセスのあった携帯電話５の固有情報がユーザファイル６に記憶されているか検索するユーザ検索手段（ＳＴ４２，ＳＴ４３）と、このユーザ検索手段（ＳＴ４２，ＳＴ４３）によりアクセスのあった携帯電話５の固有情報がユーザファイル６に記憶されていることが検索されると、その携帯電話５で読取られた二次元コードを解析して非公開情報のテキストデータを取得し、このテキストデータを含む電子メールを作成するメール作成手段（ＳＴ４７〜ＳＴ５３）と、このメール作成手段（ＳＴ４７〜ＳＴ５３）により作成された電子メールを当該携帯電話５の固有情報に対応してユーザファイル６に記憶されている電子メールアドレス宛に送信するメール送信手段（ＳＴ５４）とを備えている。
【００６２】
今、商品分類「ヤサイ」に属する単価１５０円の商品「ダイコン（静岡県産）」を２点と、商品分類「ヤサイ」に属する単価１５０円の商品「ハクサイ（神奈川県産）」を１点と、商品分類「ニクルイ」に属する３００グラム１０００円の商品「牛肩ロース」と、商品分類「インリョウ」に属する単価１５０円の商品「○○牛乳」を１点の計６点を買い上げたポイント会員の買物客が居たとする。
【００６３】
この買物客が買上げた商品の販売データを本実施の形態のＰＯＳ端末１で登録処理すると、図８に示される内容のレシート２がプリンタ２９によって印字発行される。図示するように、レシート２には、買上商品の概略的な情報である分類名及び販売金額と、領収書として最低限必要な合計金額とがカナや数字等の文字で印字されている。一方、買上商品の詳細な情報である商品名，単価，販売点数や、決済情報の詳細情報である預り金額，釣銭額や、買物客の個人情報である今回ポイント，累計ポイント，会員氏名等は、二次元コード３で印字されている。
【００６４】
人は、二次元コード３を見ただけでは、それに含まれる情報を理解できない。したがって、レシートを見ただけでは買物客が購入した商品の具体的な商品名や買上点数等を知ることは困難である。同様に、支払金額（預り金額）や釣銭額、あるいはポイントや氏名等の個人情報も知ることは困難である。その結果、レシート２を他人に見られても、買物客のプライバシーを十分に保護できるようになる。
【００６５】
一方、買物客が二次元コード化された詳細な商取引情報を確認したい場合には、レシート管理本部にユーザ登録を行い、携帯電話５のスキャナ機能を利用してレシート２上の二次元コード３を読取る。そうすると、当該買物客が予め設定しているユーザ端末７の電子メールアドレス宛に、当該二次元コード３に含まれるレシートデータの電子メールが送信される。この電子メールをユーザ端末７で開封すると、このユーザ端末７の画面に図１５に示す内容のレシートデータが表示される。
【００６６】
このレシートデータの画面を確認することにより、買物客は、店舗の名称とともに、その店舗で買上げた商品の単品名称，買上点数，単価及び買上金額や、小計金額，合計金額，預り金額，釣銭額等の商取引情報を容易に確認することできる。また、今回の商取引で付与されたポイントや現在までの累計ポイント等の個人情報も容易に知ることができる。
【００６７】
換言すれば、これらの詳細なレシート印字情報は、買物客本人が指定したユーザ端末７でしか確認できないので、買物客のプライバシーを確実に保護できる効果を奏するものである。
【００６８】
なお、この発明は前記実施形態そのままに限定されるものではなく、実施段階ではその要旨を逸脱しない範囲で構成要素を変形して具体化できる。
【００６９】
例えば前記実施の形態では、二次元コード化されたレシートデータの転送先を予め指定されたメールアドレスのユーザ端末７に限定したが、ユーザが必要に応じて転送先を指定できるようにしてもよい。
【００７０】
この場合におけるレシート管理ウェブサーバ４のＣＰＵ４１が実行する主要な処理手順を示す流れ図を図１６に示し、携帯電話５の画面変遷図を図１７に示す。なお、図１３及び図１４と共通する部分には同一符号を付している。
【００７１】
すなわち、レシート管理ウェブサーバ４のＣＰＵ４１がパスワードの認証を行うまでは、前記実施の形態と同様である（ＳＴ４１〜ＳＴ４７）。携帯電話５で入力されたパスワードがユーザファイル６から読み出したユーザ登録情報中のパスワードと一致した場合（図１６のＳＴ４７）、ＣＰＵ４１は、当該携帯電話５に対し、インターネットを経由して、レシート送信先確認画面を送信する（図１６のＳＴ６１）。
【００７２】
これにより、携帯電話５にレシート送信先確認画面がダウンロードされて、画面に表示される（図１７の状態Ｇ）。そこで買物客は、レシートデータの送信先を入力するか否かを決める。そして、入力する場合には「する」ボタンを、入力しない場合には「しない」ボタンを入力操作する。
【００７３】
レシート管理ウェブサーバ４のＣＰＵ４１は、携帯電話５で「しない」ボタンが操作されたことを検知すると、レシートデータの送信先指定無しと判断する（図１６のＳＴ６２）。この場合は、前記実施の形態のＳＴ４９〜ＳＴ５５と同一の処理を実行する。
【００７４】
これに対し、携帯電話５で「する」ボタンが操作されたことを検知した場合には、レシートデータの送信先指定有りと判断する（図１６のＳＴ６２）。そしてＣＰＵ４１は、当該携帯電話５に対し、インターネットを経由して、レシート送信先入力画面を送信する（図１３のＳＴ６３）。
【００７５】
これにより、携帯電話５にレシート送信先入力画面がダウンロードされて、画面に表示される（図１７の状態Ｈ）。そこで買物客は、レシートデータの送信先とするメールアドレスを入力し、送信ボタンを入力操作する。そうすると、携帯電話からレシート管理ウェブサーバ４に、入力されたメールアドレスと、二次元コード３に含まれているＵＲＬ以外のレシートデータとが伝送される（図１７の状態Ｅ）。
【００７６】
レシート管理ウェブサーバ４のＣＰＵ４１は、携帯電話５からメールアドレスを受信すると（図１６のＳＴ６４）、そのメールアドレスをＲＡＭ４３に記憶する（図１６のＳＴ６５）。続いて、携帯電話５から二次元コード３のレシートデータを受信すると（図１６のＳＴ６６）、ＣＰＵ４１は、ＲＯＭ４２で記憶している復号化鍵４２１を用いてこのレシートデータを復号化する（図１６のＳＴ６７）。
【００７７】
次に、ＣＰＵ４１は、復号化されたレシートデータに会員コード，会員名等の会員情報が含まれているか否かを判断する（図１６のＳＴ６８）。そして会員情報が含まれている場合には、ポイント会員として登録されている買物客との取引で発行されたレシート２のデータなので、ＣＰＵ４１は、この会員情報中の会員コードがユーザファイル６から読み出したユーザ登録情報中の会員コードと一致するか否かを判定する（図１６のＳＴ６９）。そして一致する場合には、ポイント会員である買物客が、自身がユーザ登録をしている携帯電話５でレシート２の二次元コード３を読取ったので、ＣＰＵ４１は、当該携帯電話５に対し、インターネットを経由して、送信完了画面を送信する（図１６のＳＴ７０）。
【００７８】
これにより、携帯電話５に送信完了画面がダウンロードされて表示される（図１７の状態Ｆ）。そこで、買物客は終了ボタンを入力操作する。
【００７９】
一方、レシート管理ウェブサーバ４のＣＰＵ４１は、送信要求画面を送信後、復号化されたレシートデータがテキストデータで記述された電子メールを作成する（図１６のＳＴ７１）。そして、この電子メールを、ＲＡＭ４３に記憶している携帯電話５で入力されたメールアドレスを宛先として送信する（図１６のＳＴ７２）。以上でＣＰＵ４１は、当該携帯電話５の接続要求に対する処理を終了する。
【００８０】
このような構成のレシート管理システムであれば、ユーザは、予めメールアドレスを登録しておいた設定されたユーザ端末７だけでなく、必要に応じて所望するメールアドレスの端末に、復元されたレシートデータを送信することができる。
【００８１】
また、前記実施の形態では、ユーザ登録されるユーザ識別データを携帯電話の固有情報としたが、会員カード等に設定されている会員コードであってもよい。会員カードを有するポイント会員との商取引に対しては当該ポイント会員の会員コードが非公開情報としての二次元コードに含まれる。そこで、この二次元コードを解析して得られた会員コードでユーザファイルを検索して、当該会員コードに対応して予め設定されている転送先メールアドレスを読出し、このメールアドレスを宛先として非公開情報の電子メールを送信するようにすればよい。
【００８２】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００８３】
【図１】本発明の一実施の形態であるレシート管理システムの概略構成を示す模式図。
【図２】同システムにおけるＰＯＳ端末の要部構成を示すブロック図。
【図３】図２における商品マスタファイルのデータ構造を示す模式図。
【図４】図２における分類マスタファイルのデータ構造を示す模式図。
【図５】図２における会員マスタファイルのデータ構造を示す模式図。
【図６】同ＰＯＳ端末のＥＥＰＲＯＭに記憶される主要なデータ構造を示す模式図。
【図７】同ＰＯＳ端末のＲＡＭに形成される主要なメモリエリアを示す模式図。
【図８】同ＰＯＳ端末で印字発行されるレシートの一例を示す平面図。
【図９】同ＰＯＳ端末のＣＰＵが実行する商取引処理の前半部を示す流れ図。
【図１０】同ＰＯＳ端末のＣＰＵが実行する商取引処理の後半部を示す流れ図。
【図１１】同レシート管理システムのレシート管理ウェブサーバの要部構成を示すブロック図。
【図１２】同レシート管理ウェブサーバが管理するユーザファイルに記憶されるデータの要部構造を示す模式図。
【図１３】同レシート管理ウェブサーバのＣＰＵが実行する主要な処理手順を示す流れ図。
【図１４】図１３の処理手順に関連した携帯電話の画面変遷図。
【図１５】レシートデータの表示例を示す平面図。
【図１６】同レシート管理ウェブサーバのＣＰＵが実行する他の処理手順を示す流れ図。
【図１７】図１６の処理手順に関連した携帯電話の画面変遷図。
【符号の説明】
【００８４】
１…ＰＯＳ端末、３…レシート、３…二次元コード、４…レシート管理ウェブサーバ、５…携帯電話、６…ユーザファイル、７…ユーザ端末。
【図１】
2006243822.tif 000003
【図２】
2006243822.tif 000004
【図３】
2006243822.tif 000005
【図４】
2006243822.tif 000006
【図５】
2006243822.tif 000007
【図６】
2006243822.tif 000008
【図７】
2006243822.tif 000009
【図８】
2006243822.tif 000010
【図９】
2006243822.tif 000011
【図１０】
2006243822.tif 000012
【図１１】
2006243822.tif 000013
【図１２】
2006243822.tif 000014
【図１３】
2006243822.tif 000015
【図１４】
2006243822.tif 000016
【図１５】
2006243822.tif 000017
【図１６】
2006243822.tif 000018
【図１７】
2006243822.tif 000019